(57)【特許請求の範囲】
【請求項１】
殺虫成分を含有するエアゾール内容物をエアゾール容器に充填してなり、噴口径が０．５〜１．６ｍｍの噴口を複数有し、前記噴口の総面積が０．５〜１０ｍｍ2である噴口部材を設けた噴霧用ボタンを備え、前記噴口から平均粒子径が７０〜２００μｍの前記エアゾール内容物の粒子を、該噴口から１ｍ離れた位置における拡散幅が５０ｃｍ以内で、かつ、少なくとも３ｍの位置まで到達するように噴霧することを特徴とするハチ駆除用エアゾール剤。
【請求項２】
５秒間噴霧した時の３ｍ離れた位置でのエアゾール内容物の到達量が１ｇ以上であることを特徴とする請求項１記載のハチ駆除用エアゾール剤。
【請求項３】
殺虫成分がフタルスリンとエトフェンプロックスであることを特徴とする請求項１又は２記載のハチ駆除用エアゾール剤。
【発明の詳細な説明】
【０００１】
【発明の属する技術分野】
本発明は、離れた場所からハチを駆除することができるハチ駆除用エアゾール剤に関する。
【０００２】
【従来の技術】
ハチは益虫である一方、人畜を刺傷して被害を及ぼすことから駆除の対象昆虫にもなっている。そのため専門業者によりハチの駆除、ハチの巣の撤去が行われている。従来、これらの作業では有機リン系殺虫剤の散布や油剤の煙霧処理等が行われてきたが、作業者に対するハチによる刺傷の危険を低減するという観点から即効的に作用する薬剤が求められていた。
【０００３】
このような状況にあって、２−メチル−４−オキソ−３−（２−プロピニル）シクロペンタ−２−エニル クリサンテマートがハチの駆除において即効的に作用すること、さらに特定の飽和炭化水素を用いることでより即効的になることが見出されている。
【０００４】
ところが実際にハチを駆除したりする場合には、これらの薬剤をハチに処理するために接近する場合が多く、飛来してきたハチに刺傷されることがあり危険を低減するには十分ではない。
【０００５】
【発明が解決しようとする課題】
本発明は、上記のような状況を鑑みてなされたものであり、より離れた場所からハチを駆除することができるハチ駆除用エアゾール剤を提供することを目的とするものである。
【０００６】
【課題を解決するための手段】
本発明者らは、上記課題を解決するために鋭意検討した結果、噴霧されるエアゾール内容物の粒子の径及び拡散幅を調整することにより、エアゾール内容物の粒子をより遠方に噴霧することができることを見出し本発明に至った。すなわち本発明は、以下の構成により達成されるものである。
（１）殺虫成分を含有するエアゾール内容物をエアゾール容器に充填してなり、噴口径が０．５〜１．６ｍｍの噴口を複数有し、前記噴口の総面積が０．５〜１０ｍｍ2である噴口部材を設けた噴霧用ボタンを備え、前記噴口から平均粒子径が７０〜２００μｍの前記エアゾール内容物の粒子を、該噴口から１ｍ離れた位置における拡散幅（以下、単に「拡散幅」という）が５０ｃｍ以内で、かつ、少なくとも３ｍの位置まで到達するように噴霧することを特徴とするハチ駆除用エアゾール剤。
（２）５秒間噴霧した時の３ｍ離れた位置でのエアゾール内容物の到達量が１ｇ以上であることを特徴とする（１）記載のハチ駆除用エアゾール剤。
（３）殺虫成分がフタルスリンとエトフェンプロックスであることを特徴とする（１）又は（２）記載のハチ駆除用エアゾール剤。
【０００７】
【発明の実施の形態】
本発明は、殺虫成分を含有したエアゾール内容物を平均粒子径が７０〜２００μｍ、好ましくは９０〜１５０μｍの粒子とし、かつ前記粒子の拡散幅が５０ｃｍ以内、好ましくは１０〜５０ｃｍ、より好ましくは２０〜４０ｃｍとなるように噴霧することにより、３ｍ以上の有効距離を達成させたものである。
【０００８】
本発明において、平均粒子径とは、粒度分布測定装置により測定され、自動演算処理装置により解析されたＤ５０（累積５０％）を意味するものである。具体的には、粒度分布測定装置のレーザー光発光部より受光部に照射されるレーザービームと、検体の噴射口との距離が約１０ｃｍとなる位置から、噴射物がレーザービームを垂直に通過するように検体を噴射し、このときの噴射物の粒度分布を自動演算処理装置により解析して求められる。
【０００９】
本発明において、粒子の拡散幅とは、図１に模式的に示すように、室内において無風状態でエアゾール剤から１ｍ離れた白紙に向かって数秒間（噴射量にして約１０ｍｌ）床面とほぼ水平になるようにエアゾール内容物を噴霧し、白紙に付着したエアゾール内容物の幅（Ｗ）を測定したものであり、付着状態が楕円である場合にはその長径を測定したものを意味する。
【００１０】
噴霧された粒子の平均粒子径、拡散幅が上記の範囲から外れると、風による影響を受けて飛散し易くなり、薬剤がハチに十分に付着し難くなったり、３ｍ以上の有効距離を達成するのが困難になる。尚、本発明では、３ｍ離れた位置に配置したスポンジ（３３０ｃｍ2）に向かって５秒間エアゾール内容物を噴霧（噴射量にして約５０ｇ）し、噴射前後におけるスポンジの重量差が１ｇ以上増えている場合に、３ｍ以上の有効距離を有すると規定する。
【００１１】
本発明において、上記の平均粒子径及び拡散幅を実現するためには、噴口径が０．５〜１．６ｍｍの噴口を複数（好ましくは２〜１０個）有し、前記噴口の総面積が０．５〜１０ｍｍ2である噴口部材を設けた噴霧用ボタンにより噴霧する。
【００１２】
さらにエアゾールバルブ噴口において、１．０〜１．２ｍｍの範囲のステム径を３つもち、１．０〜２．２ｍｍの範囲のハウジング径、０〜０．４ｍｍの範囲のベーパータップ径を有することが好ましい。
【００１３】
本発明のハチ駆除用エアゾール剤は、殺虫成分を含有する原液と噴射剤（エアゾール内容物）とをエアゾール容器に充填して構成されるが、その際、容量比で原液：噴射剤は３０：７０〜９０：１０の範囲とすることが好ましい。
【００１４】
殺虫成分は、ハチに有効であれば制限されるものではないが、例えば、天然ピレトリン、プラレトリン、イミプロトリン、フタルスリン、アレスリン、トランスフルトリン、レスメトリン、フェノトリン、シフェノトリン、ペルメトリン、サイパーメスリン、エトフェンプロックス、シフルスリン、デルタメスリン、ビフェントリン、フェンバレレート、フェンプロパスリン、（Ｓ）−２−メチル−４−オキソ−３−（２−プロピニル）−シクロペント−２−エニル （１Ｒ）−トランス−３−（２、２−ジクロロビニル）−２、２−ジメチルシクロプロパンカルボキシレート、Ｓ−１２６４等のピレスロイド系化合物；ジクロルボス等の有機リン系化合物；カーバメート系化合物；これらの異性体；誘導体等が挙げられる。
【００１５】
これらは１種又は２種以上を混合して用いることができ、原液中に０．１〜５重量％、好ましくは０．２〜１重量％として含有するのが好ましい。
【００１６】
またハチに対する殺虫効力からすれば、フタルスリン（特にｄ−Ｔ８０−フタルスリンがよい）とエトフェンプロックスとを混合して用いことがより好ましく、両者を重量比で原液中に３：１〜１：１として含有するのが好ましい。
【００１７】
さらにハッカオイル、オレンジオイル等を混合して用いることでハチに対するノックダウン効力を向上させることもできる。
【００１８】
溶媒としては、水；アルキルベンゼン等の芳香族炭化水素；灯油、パラフィン系炭化水素、ナフテン系炭化水素等の飽和炭化水素；オクテン等の不飽和炭化水素；イソプロピルアルコール、エチルアルコール、オレイルアルコール、ラウリルアルコール等のアルコール類；ミリスチン酸イソプロピル等のエステル類；ポリエチレングリコール、ポリプロピレングリコール等のグリコール類；アルキルフェニルエーテル等のエーテル類；ジクロルメタン等の塩素系溶剤；フッ素系溶剤；シリコーン系溶剤等が挙げられる。
【００１９】
これらは１種又は２種以上を混合して用いることができ、原液中に９０〜９９．９重量％として含有するのが好ましい。
【００２０】
さらに殺虫成分の乳化、分散を高めるために、ＰＯＥアルキルエーテル、ＰＯＥ脂肪酸エステル等の界面活性剤；乳酸エステル、ポリビニルピロリドン等の溶解助剤を添加したり、殺虫成分の効力を増強するために、ピペロニルブトキサイド、Ｎ−オクチルビシクロヘプテンジカルボキシミド（ＭＧＫ２６４）、１，１'−オキシビス〔２，３，３，３−テトラクロロプロパン〕（Ｓ４２１）等の共力剤を添加したり、ハチやハチの巣への付着性を増すために、ラノリン等の展着剤を添加してもよいし、臭気を軽減するために、ラベンダー油等の天然精油やゲラニオール等の合成着香料等を添加したり、冷却によりハチを麻痺させるために、ペンタン類、２，３−ジハイドロデカフロロペンタン（バートレルＸＦ）等を添加することもできる。
【００２１】
噴射剤としては、例えば、窒素ガス、圧縮空気、炭酸ガス等の圧縮ガス；ＨＦＣ−１５２ａ、ＨＦＣ−１３４ａ等のハイドロフルオロカーボン；ジメチルエーテル等の液化ガス；プロパン、ブタン、イソブタン等の液化石油ガス等が挙げられ、これらの１種又は２種以上の混合物を用いることができる。
【００２２】
またエアゾール容器中の圧力（内圧）は、２５℃で４〜９Ｋｇ／ｃｍ2程度とするのがよい。
【００２３】
本発明のハチ駆除用エアゾール剤は、セグロアシナガバチ、フタモンアシナガバチ、ヤマトアシナガバチ、キアシナガバチ、キボシアシナガバチ等のアシナガバチ；キイロスズメバチ、オオスズメバチ、コガタスズメバチ等のスズメバチ；クマバチ；ミツバチ等のハチ類を駆除することができる。
【００２４】
【実施例】
以下に実施例によって本発明をさらに詳しく説明するが、本発明はこれらに限定されるものではない。
【００２５】
・製剤１
ｄ−T80−フタルスリン０．４ｇとエトフェンプロックス０．１ｇをケロシンに溶解して１５０ｍｌとし原液とした。そして噴射剤として液化石油ガス１５０ｍｌと共に下記に示すエアゾール容器に加圧充填して本発明のハチ駆除用エアゾール剤とした。エアゾール容器は次の仕様からなるものを用いた。噴霧用ボタン；噴口径が１ｍｍの噴口を８個、この総面積が６．２８ｍｍ2である噴口部材を具備したもの。エアゾールバルブ；１．２ｍｍのステム径を３つもち、２．２ｍｍのハウジング径を具備したもの。
【００２６】
・製剤２
ｄ−T80−フタルスリン０．４ｇとエトフェンプロックス０．１ｇをケロシンに溶解して１２０ｍｌとし原液とした。そして噴射剤として液化石油ガス１８０ｍｌと共にエアゾール容器に加圧充填して本発明のハチ駆除用エアゾール剤とした。エアゾール容器は製剤１と同じものを用いた。
【００２７】
・比較製剤１
プラレトリン０．４６ｇを有効成分として含有した原液２２５ｍｌと、噴射剤として液化石油ガス７５ｍｌを窒素加圧した市販のハチ駆除用エアゾール剤（イカリ消毒社製）。
【００２８】
・比較製剤２
ｄ−T80−フタルスリン０．４ｇとエトフェンプロックス０．１ｇをケロシンに溶解して２００ｍｌとし原液とした。そして噴射剤として液化石油ガス１００ｍｌと共に比較製剤１のエアゾール容器に加圧充填してハチ駆除用エアゾール剤とした。
【００２９】
製剤１、２、比較製剤１、２を用いて、各エアゾール剤の平均粒子径及び拡散幅を測定した。またハチに対するノックダウン及び殺虫効力を試験した。各試験結果は表１に記載した。
【００３０】
・平均粒子径の測定
自動演算処理装置付レーザー光散乱方式粒度分布測定装置（ＬＤＳＡ−１４００Ａ：東日本コンピューターアプリケーションズ株式会社製）を用いて、次の方法によりＤ５０（累積５０％）を求めた。
【００３１】
粒度分布測定装置のレーザー光発光部より受光部に照射されるレーザービームと、検体の噴射口との距離が約１０ｃｍとなる位置から、噴射物がレーザービームを垂直に通過するように検体を噴射する。噴射中に測定を行い、噴射物の粒度分布を自動演算処理装置により解析する。
【００３２】
・拡散幅の測定
図１に示したように、室内において無風状態でエアゾール剤から１ｍ離れた白紙に向かって数秒間（噴射量約１０ｇ）床面とほぼ水平になるようにエアゾール内容物を噴霧し、白紙に付着したエアゾール内容物の幅（Ｗ）を測定した。
【００３３】
・殺虫効力
試験室（８畳居室）の床面から高さ１７５ｍのところにセグロアシナガバチ１匹を入れた金属ケージ（直径８．５ｃｍ、高さ８ｃｍ）を吊るした。そのケージに向けて１ｍ及び３ｍ離れた距離からエアゾール内容物を５秒間噴霧し、噴霧直後にケージの蓋を開けてハチを放し、ハチのノックダウン時間及び２４時間後の致死効力を確認した。試験は５反復行いその平均値を求めた。
【００３４】
【表１】
0004172934.tif 000002
【００３５】
表１に示されるように、本発明のハチ駆除用エアゾール剤である製剤１及び２は、噴霧距離が３ｍであってもハチに対してノックダウン時間が早く即効的であり、また致死率が高く殺虫効力に優れたものであることが確認された。
【００３６】
【発明の効果】
本発明のハチ駆除用エアゾール剤は、離れた場所からでもハチを即効的にノックダウンすることができ、また殺虫効力にも優れ、より安全にハチを駆除することができる。
【図面の簡単な説明】
【図１】粒子の噴射幅を定義するための説明図である。
【図１】
0004172934.tif 000003